(57)【特許請求の範囲】
【請求項１】
所定空間に設けられる設備及び複数の照明器具と通信する制御装置であって、
前記設備の状態を取得する取得部と、
取得された前記設備の状態が所定の状態である場合、前記設備と前記複数の照明器具のそれぞれとの位置関係に基づき特定される前記複数の照明器具のうち少なくとも一の照明器具に対して調光制御を行う制御部とを有し、
前記設備は、空調設備を含み、
前記所定の状態は、前記空調設備が運転している状態を含む制御装置。
【請求項２】
前記一の照明器具は、前記複数の照明器具のうち前記設備の最も近くに位置する照明器具である請求項１に記載の制御装置。
【請求項３】
前記制御部は、前記照明器具の電源がオフにされた場合であっても、前記照明器具が調光し続けるように前記調光制御を行う請求項１又は２に記載の制御装置。
【請求項４】
前記設備は、冷却設備を含み、
前記所定の状態は、前記冷却設備が所定のカバーで覆われていない状態を含む請求項１乃至３のいずれか一項に記載の制御装置。
【請求項５】
前記制御部は、所定の時間帯に前記調光制御を行う請求項１乃至４のいずれか一項に記載の制御装置。
【請求項６】
前記設備の状態と、前記調光制御の内容とが対応付けて記憶され、
前記制御部は、取得された前記設備の状態に対応付けられた前記調光制御の内容に基づき、前記調光制御を行う請求項１乃至５のいずれか一項に記載の制御装置。
【請求項７】
所定空間に設けられる設備及び複数の照明器具と、該設備及び該複数の照明器具と通信する制御装置と、を含む制御システムであって、
前記制御装置は、
前記設備の状態を取得する取得部と、
取得された前記設備の状態が所定の状態である場合、前記設備と前記複数の照明器具のそれぞれとの位置関係に基づき特定される前記複数の照明器具のうちの少なくとも一の照明器具に対して調光制御を行う制御部とを含み、
前記設備は、空調設備を含み、
前記所定の状態は、前記空調設備が運転している状態を含む制御システム。
【請求項８】
所定空間に設けられる設備及び複数の照明器具と、該設備及び該複数の照明器具間で通信する制御装置が行う制御方法であって、
前記設備の状態を取得する取得ステップと、
取得された前記設備の状態が所定の状態である場合、前記設備と前記複数の照明器具のそれぞれとの位置関係に基づき特定される前記複数の照明器具のうち少なくとも一の照明器具に対して調光制御を行う制御ステップとを含み、
前記設備は、空調設備を含み、
前記所定の状態は、前記空調設備が運転している状態を含む制御方法。
【発明の詳細な説明】
【技術分野】
【０００１】
本発明は、所定空間に設けられた設備の動作を制御する制御装置、制御システム及び制御方法に関する。
【背景技術】
【０００２】
一般に、スーパーマーケット、百貨店又はショッピングモール等の店舗には、多数の空調設備及び冷凍・冷蔵ショーケースのような冷却設備が設置されている。店舗の閉店後、通常、省エネのため、空調設備は停止され、冷却設備の開口は庫内への外気の侵入を防ぐためナイトカバーで覆われる。
【０００３】
一方、複数の空調設備の状態を集中して監視するシステムが提案されている（例えば特許文献１）。上記システムを店舗に導入すれば、店舗の売場に設けられた空調設備等の状態を、例えばバックルーム等で集中的に監視できる。
【先行技術文献】
【特許文献】
【０００４】
【特許文献１】特開２００８−２８１２４１号公報
【発明の概要】
【発明が解決しようとする課題】
【０００５】
ここで、店舗のフロアが広大であり、かつ多数の空調設備及び冷却設備（以下、それぞれを区別しない場合「設備」という）が設置されている場合、従業員等がフロアを見渡しても、それぞれの設備の状態（例えば空調設備が停止されているかどうか、冷却設備の開口がナイトカバーで覆われているかどうか）を一目で容易に確認できない。このため、閉店後に空調設備をつけっぱなし（運転中のまま）にしたり、冷却設備の開口をナイトカバーで覆うことを忘れたりするといった問題がある。
【０００６】
さらに、上記システムを店舗に導入したとしても、システムの利用権限がない従業員は確認できないし、店舗の売場からバックルームに戻って確認するのにも手間がかかり、容易に設備の状態を確認することはできない。
【０００７】
そこで、本発明は、上記課題を解決するため、所定空間に設けられた設備の状態を一目で容易に確認可能とすることを目的とする。
【課題を解決するための手段】
【０００８】
本発明の第１の特徴における制御装置は、所定空間に設けられる設備及び複数の照明器具と通信する制御装置であって、前記設備の状態を取得する取得部と、取得された前記設備の状態が所定の状態である場合、前記設備と前記複数の照明器具のそれぞれとの位置関係に基づき特定される前記複数の照明器具のうち少なくとも一の照明器具に対して調光制御を行う制御部とを有する。
【０００９】
本発明の第１の特徴の制御装置において、前記一の照明器具は、前記複数の照明器具のうち前記設備の最も近くに位置する照明器具である。
【００１０】
本発明の第１の特徴の制御装置において、前記制御部は、前記照明器具の電源がオフにされた場合であっても、前記照明器具が調光し続けるように前記調光制御を行う。
【００１１】
本発明の第１の特徴の制御装置において、前記設備は、空調設備であって、前記所定の状態は、前記空調設備が運転している状態である。
【００１２】
本発明の第１の特徴の制御装置において、前記設備は、冷却設備であって、前記所定の状態は、前記冷却設備が所定のカバーで覆われていない状態である。
【００１３】
本発明の第１の特徴の制御装置において、前記制御部は、所定の時間帯に前記調光制御を行う。
【００１４】
本発明の第１の特徴の制御装置において、前記設備の状態と、前記調光制御の内容とが対応付けて記憶され、前記制御部は、取得された前記設備の状態に対応付けられた前記調光制御の内容に基づき、前記調光制御を行う。
【００１５】
本発明の第２の特徴における制御システムは、所定空間に設けられる設備及び複数の照明器具と、該設備及び該複数の照明器具と通信する制御装置と、を含む制御システムであって、前記制御装置は、前記設備の状態を取得する取得部と、取得された前記設備の状態が所定の状態である場合、前記設備と前記複数の照明器具のそれぞれとの位置関係に基づき特定される前記複数の照明器具のうちの少なくとも一の照明器具に対して調光制御を行う制御部とを含む。
【００１６】
本発明の第３の特徴における制御方法は、所定空間に設けられる設備及び複数の照明器具と、該設備及び該複数の照明器具間で通信する制御装置が行う制御方法であって、前記設備の状態を取得する取得ステップと、取得された前記設備の状態が所定の状態である場合、前記設備と前記複数の照明器具のそれぞれとの位置関係に基づき特定される前記複数の照明器具のうち少なくとも一の照明器具に対して調光制御を行う制御ステップとを含む。
【発明の効果】
【００１７】
本発明の実施形態によれば、所定空間に設けられた設備の状態を一目で容易に確認できる。
【図面の簡単な説明】
【００１８】
【図１】図１は、本実施形態における制御システムを示す図である。
【図２】図２は、本実施形態における空調設備、冷却設備及び照明器具が設置される店舗の一例を示す平面図である。
【図３】図３は、本実施形態における制御装置の機能ブロック図である。
【図４】図４は、位置情報記憶部に記憶される情報を示す図である。
【図５】図５は、本実施形態における制御システムの処理手順を示すフローチャート図である。
【図６】図６は、本実施形態の変形例における制御システムの処理手順を示すフローチャート図である。
【図７】図７は、調光制御内容テーブルに記憶される情報を示す図である。
【発明を実施するための形態】
【００１９】
以下において、本発明の実施形態における制御装置、制御システム及び制御方法について、図面を参照しながら説明する。なお、以下の図面の記載において、同一又は類似の部分には、同一又は類似の符号を付している。
【００２０】
［本実施形態］
（システム構成）
以下において、本実施形態における制御システムについて説明する。図１は、本実施形態における制御システム１を示す図である。
【００２１】
図１に示すように、制御システム１は、制御装置１０と、空調設備２０ａ、２０ｂ、・・・と、冷却設備３０ａ、３０ｂ、・・・と、照明器具４０ａ、４０ｂ、・・・とを有する。空調設備２０、冷却設備３０及び照明器具４０は、任意の数でよい。制御装置１０は、所定空間に含まれる空調設備２０、冷却設備３０及び照明器具４０のそれぞれとネットワーク５０を介して通信可能に接続されている。ネットワーク５０は、有線又は無線のＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）等のネットワークである。なお、以下の説明において、空調設備２０と冷却設備３０とのそれぞれを区別しない場合、単に「設備」という。また、所定空間は、スーパーマーケット、百貨店若しくはショッピングモール等の店舗、事務所又は体育館等の施設であって、空調設備２０及び冷却設備３０の少なくとも一方と、照明器具４０とが設けられる空間である。以下、所定空間の一例である店舗を例に実施形態を説明する。
【００２２】
制御システム１は、制御装置１０により取得された設備の状態（以下、「設備状態」という）及び設備と照明器具４０との位置関係に基づき特定された照明器具４０の調光制御を実行するシステムである。ここで、設備状態とは、空調設備２０の運転中／停止を示す状態及び冷却設備３０への所定のカバー（ナイトカバー）の取り付け状態である。
【００２３】
なお、制御システム１は、負荷が設けられた店舗における所定期間（例えば３０分間）における積算消費電力量を監視し、デマンド制御を行うＥＭＳ（Ｅｎｅｒｇｙ  Ｍａｎａｇｅｍｅｎｔ  Ｓｙｓｔｅｍ）又は特に店舗におけるＥＭＳとしてＳＥＭＳ（Ｓｔｏｒｅ  Ｅｎｅｒｇｙ  Ｍａｎａｇｅｍｅｎｔ  Ｓｙｓｔｅｍ）に適用されてもよい。
【００２４】
制御装置１０は、空調設備２０及び冷却設備３０の設備状態の取得及び照明器具４０の調光制御等を実行する装置である。制御装置１０は、制御装置１０は、例えば店舗外に設置されてもよいし、店舗のバックルーム等に設置されてもよい。
【００２５】
空調設備２０は、電力線を介して電力の供給を受け、空調を行う設備である。空調設備２０は、例えばエアコン等である。空調設備２０は、例えば店舗の売場等の天井に複数設置される。空調設備２０は、運転中の場合、所定の周期で空調設備２０を識別する識別情報又は設備名（設備ＩＤ）とともに、空調設備２０が運転している状態（運転状態）を示す設備状態情報を、制御装置１０に送信する。空調設備２０は、停止する状態（停止状態）への遷移時に、停止状態を示す設備状態情報を、制御装置１０に送信する。
【００２６】
冷却設備３０は、電力線を介して電力の供給を受け、内蔵される庫内の冷却を行う設備である。冷却設備３０は、例えば冷凍・冷蔵ショーケースである。冷却設備３０は、店舗内に複数設置される。冷却設備３０の開口は、例えば閉店後、庫内への外気の侵入を防ぎ冷却効率を高めるために、所定のカバー（ナイトカバー）で覆われる。ナイトカバーは、冷却設備の開口の上部に巻き取り収納されており、電動式で昇降される。冷却設備３０は、所定の周期で冷却設備３０を識別する識別情報又は設備名（設備ＩＤ）とともに、冷却設備３０がナイトカバーで覆われている状態（カバー状態）又は覆われていない状態（未カバー状態）を示す設備状態情報を、制御装置１０に送信する。なお、冷却設備３０は、カバー状態又は未カバー状態に遷移した時のみ、カバー状態又は未カバー状態を示す情報を、制御装置１０に送信してもよい。
【００２７】
照明器具４０は、電力線を介して電力の供給を受け、照明を行う調光機能を備える設備である。照明器具４０は、例えばＬＥＤ照明又は蛍光灯である。照明器具４０は、例えば店舗の売場等の天井に複数設置される。照明器具４０の電源オン／オフ（点灯／消灯）は、照明器具４０が設置される売場等に設けられる手動スイッチの操作又は制御装置１０を用いた遠隔制御により行うことができる。
【００２８】
（適用シーン）
次に、本実施形態の制御システム１の適用シーンを説明する。
【００２９】
図２は、本実施形態における空調設備２０、冷却設備３０及び照明器具４０が設置される店舗の一例を示す平面図である。
【００３０】
図２に示すように、店舗には、複数の空調設備２０ａ〜２０ｆと、と複数の冷却設備３０ａ〜３０ｄと、照明器具４０ａ〜４０ｊとが設置されている。
【００３１】
本実施形態の制御システム１において、例えば閉店後、空調設備２０ａが停止されず運転中の場合、所定の周期で制御装置１０に送信される設備状態情報に、運転状態であることを示す情報が含まれる。これにより、制御装置１０は、空調設備２０ａの設備状態が運転状態であることを検知する。
【００３２】
次に、制御装置１０は、空調設備２０ａに最も近くに位置する照明器具４０が照明器具４０ｃであることを特定する。
【００３３】
そして、制御装置１０は、特定された照明器具４０ｃに対する調光制御を実行する。ここで、実行される調光制御とは、例えば調光レベル（明るさ）を上げる（明るくする）制御である。また、実行される調光制御は、照明器具４０の手動電源スイッチがオフとされた場合であっても、調光を継続するように制御する。
【００３４】
これにより、例えば従業員は、店舗のフロアにおいて、最も明るい照明の照明器具４０ｃを、容易に把握し、照明器具４０ｃに最も近くに位置する空調設備２０ａが運転しっぱなし（停止されていない）ことを把握できる。さらに、従業員が照明器具４０の手動電源スイッチをオフにしても、照明器具４０ｃの調光は継続されるため、該当フロアの照明器具４０の電源をオフにすることで調光が継続している照明器具４０ａを容易に把握できる。
【００３５】
同様に、冷却設備３０の場合、例えば閉店後、冷却設備３０ａがナイトカバーで覆われていない場合、所定の周期で制御装置１０に送信される設備状態情報に、未カバー状態を示す情報が含まれる。これにより、制御装置１０は、冷却設備３０ａの設備状態が未カバー状態であることを検知する。
【００３６】
次に、制御装置１０は、冷却設備３０ａに最も近くに位置する照明器具４０が照明器具４０ａであることを特定する。
【００３７】
そして、制御装置１０は、特定された照明器具４０ａに対する調光制御を実行する。
【００３８】
これにより、例えば従業員は、店舗のフロアにおいて、最も明るい照明の照明器具４０ａを、容易に把握し、照明器具４０ａに最も近くに位置する冷却設備３０ａにナイトカバーが取り付けられていない状態であることを把握できる。
【００３９】
（機能構成）
本実施形態の制御装置１０が備える機能ブロックについて説明する。図３は、本実施形態の制御装置１０の機能ブロック図である。
【００４０】
図３に示すように、制御装置１０は、設備状態取得部１０１と、制御部１０２と、管理部１０３と、位置情報記憶部１０４とを有する。
【００４１】
設備状態取得部１０１は、店舗に設けられた空調設備２０と冷却設備３０との設備状態情報を取得する。設備状態情報は、所定の周期で空調設備２０と冷却設備３０とから制御装置１０に対して送信される。設備状態取得部１０１は、受信した設備状態情報に含まれる設備状態が設備状態であるか否かを判定する。ここで、設備状態とは、空調設備２０の運転状態及び冷却設備３０の未カバー状態である。そして、設備状態取得部１０１は、所定の状態であると判定された場合、設備状態情報に含まれる設備ＩＤを管理部１０３に通知する。なお、設備状態取得部１０１が店舗に設けられた設備に対して、定期的にポーリングを行い、設備状態を取得するようにしてもよい。
【００４２】
制御部１０２は、後述する管理部１０３の通知に基づき、照明器具４０の調光制御を行う。なお、調光制御には、照明器具４０の調光レベルの変更及び点灯／消灯の制御が含まれる。
【００４３】
管理部１０３は、店舗に設置される空調設備２０、冷却設備３０及び照明器具４０の位置情報を、位置情報記憶部１０４を用いて管理する。
【００４４】
図４に示すように、位置情報記憶部１０４には、設備ＩＤ毎の位置情報が記憶されている。設備ＩＤは、店舗に設置される空調設備２０、冷却設備３０及び照明器具４０を識別する識別情報である。位置情報には、店舗名、フロア及びエリアが含まれる。エリアは、フロアを所定の大きさで区切った区画である。エリアの大きさは、空調設備２０、冷却設備３０及び照明器具４０のそれぞれの位置を区別可能な大きさである。異なる設備が同一のエリアに設置される場合もある。なお、エリアに代えて、緯度及び経度としてもよい。この場合、緯度及び経度は、予め制御システム１の管理者等により設定されるか又はＩＭＥＳ（Ｉｎｄｏｏｒ  ＭＥｓｓａｇｉｎｇ  Ｓｙｓｔｅｍ）及びＺｉｇＢｅｅを用いた屋内測位技術により特定される。なお、位置情報記憶部１０４は、制御装置１０が備えるメモリ設備又はハードディスク等である。但し、位置情報記憶部１０４に記憶される情報は、ネットワークを介して接続可能なクラウドサーバ又は外部記録媒体に記憶されてもよい。
【００４５】
管理部１０３は、設備状態取得部１０１からの空調設備２０又は冷却設備３０の設備ＩＤの通知を受け付けると、設備ＩＤに対応する設備に最も近くに位置する照明器具４０を特定する。管理部１０３は、特定された照明器具４０を制御部１０２に通知する。
【００４６】
（処理手順）
図５は、本実施形態における制御システム１の処理手順を示すフローチャート図である。
【００４７】
ステップＳ１０１において、制御装置１０の設備状態取得部１０１は、店舗に設けられた設備からの設備状態情報に含まれる設備状態を取得する。設備状態情報には、設備ＩＤも含まれる。
【００４８】
ステップＳ１０２において、設備状態取得部１０１は、取得された設備状態が所定の設備状態（空調設備２０の運転状態又は冷却設備３０の未カバー状態）であるか否かを判定する。
【００４９】
ここで、取得された設備状態が所定の設備状態でない場合（ステップＳ１０２においてＮＯ）、処理は終了する。
【００５０】
一方、取得された設備状態が設備状態である場合（ステップＳ１０２においてＹＥＳ）、設備状態取得部１０１は、設備状態情報に含まれる設備ＩＤを管理部１０３に通知し、ステップＳ１０３の処理が実行される。
【００５１】
ステップＳ１０３において、管理部１０３は、位置情報記憶部１０４を参照し、設備状態が取得された設備（通知された設備ＩＤに対応する設備）に最も近くに位置する照明器具を特定する。管理部１０３は、特定された照明器具４０（照明器具４０の設備ＩＤ）を、制御部１０２に通知する。
【００５２】
ここで、最も近くに位置する照明器具４０を特定する手順の具体例を以下に示す。例えば位置情報が図４に示した例であり、設備状態情報に含まれる設備ＩＤが「空調設備Ａ」であった場合、設備ＩＤ「空調設備Ａ」の位置情報は「店舗Ａ、２階、エリアＡ１」である。次に、位置情報記憶部１０４から、設備ＩＤ「空調設備Ａ」の位置情報「店舗Ａ、２階、エリアＡ１」に最も近くに位置する位置情報が検索される。検索の結果、設備ＩＤ「空調設備Ａ」と同じ位置情報「店舗Ａ、２階、エリアＡ１」の設備ＩＤ「照明器具Ａ」が、最も近くに位置する照明器具４０として特定される。
【００５３】
同様に、例えば設備状態情報に含まれる設備ＩＤが「冷却設備Ａ」であった場合、設備ＩＤ「冷却設備Ａ」の位置情報は「店舗Ａ、２階、エリアＢ１」である。次に、位置情報記憶部１０４から、設備ＩＤ「冷却設備Ａ」の位置情報「店舗Ａ、２階、エリアＢ１」に最も近くに位置する位置情報が検索される。検索の結果、設備ＩＤ「冷却設備Ａ」に最も近くに位置する位置情報「店舗Ａ、２階、エリアＢ２」の設備ＩＤ「照明器具Ｃ」が、最も近くに位置する照明器具４０として特定される。
【００５４】
ステップＳ１０４において、制御部１０２は、特定された照明器具４０に対して、調光制御を実行する。
【００５５】
上述したように、本実施形態における制御システム１によれば、制御装置１０が、設備状態が運転状態である空調設備２０及び設備状態が未カバー状態である冷却設備３０に最も近くに位置する照明器具４０の調光を制御できる。
【００５６】
これにより、例えば従業員は、特にフロアの広大な店舗に多数設けられた照明器具４０の中で、より明るく調光された照明器具４０を一目で発見できる。そして、より明るく調光された照明器具４０ａに最も近くに位置する空調設備２０がつけっぱなしであったり、冷却設備３０ａがナイトカバーで覆われていなかったりする状態を容易に把握できる。そのため、閉店後における店舗に設けられた設備による無駄な電力消費を抑制できる。
【００５７】
さらに、本実施形態における制御装置１０により制御された照明器具４０の調光は、照明器具４０の電源がオフの場合であっても、継続できる。
【００５８】
これにより、例えば従業員が照明器具４０の手動電源スイッチを操作し店舗のフロアにおける全ての照明器具４０の電源をオフにすれば、照明器具４０が点灯し続けている照明器具４０を一目で容易に確認できる。
【００５９】
なお、本実施形態において、設備状態に基づき実行する照明器具４０の調光制御を所定の時間帯に実行するようにしてもよい。
【００６０】
これにより、店舗が閉店している時間帯、すなわち通常、空調設備２０が停止されるべき時間帯及び冷却設備３０がナイトカバーで覆われるべき時間帯に、設備状態に基づく照明器具４０の調光制御を実行できる。言い換えると、店舗の開店時における照明器具４０の調光には影響を与えないようにできる。
【００６１】
なお、本実施形態において、設備状態に基づき実行する照明器具４０の調光制御として調光レベルを上げる（明るくする）例を示したが、調光制御は例えば調光レベルを下げる（薄暗くする）ようにしたり、点滅するようにしたりしてもよい。
【００６２】
［本実施形態の変形例］
本実施形態の変形例では、設備状態に基づき実行される調光制御内容が変更される。
【００６３】
図６は、本実施形態の変形例における制御システム１の処理手順を示すフローチャート図である。
【００６４】
ステップＳ２０１において、制御装置１０の設備状態取得部１０１は、店舗に設けられた設備からの設備状態情報に含まれる設備状態を取得する。
【００６５】
ステップＳ２０２において、設備状態取得部１０１は、取得された設備状態が設備状態であるか否かを判定する。変形例では、設備状態は、例えば、運転中、電力抑制制御中、未カバー状態及び故障である。電力抑制制御中とは、例えばデマンド制御による設備の消費電力量を抑制する制御が実行されている状態である。なお、設備状態は、例えば制御システム１の管理者等により任意に設定及び変更できる。
【００６６】
ここで、取得された設備状態が設備状態でない場合（ステップＳ２０２においてＮＯ）、処理は終了する。
【００６７】
一方、取得された設備状態が設備状態である場合（ステップＳ２０２においてＹＥＳ）、設備状態取得部１０１は、設備状態情報に含まれる設備ＩＤを管理部１０３に通知し、ステップＳ２０３の処理が実行される。
【００６８】
ステップＳ２０３において、管理部１０３は、位置情報記憶部１０４を参照し、設備状態が取得された設備（通知された設備ＩＤに対応する設備）に最も近くに位置する照明器具を特定する。
【００６９】
ステップＳ２０４において、管理部１０３は、特定された照明器具４０に対する調光制御内容を決定する。ここで、管理部１０３は、調光制御内容を決定するため、図７に示す調光制御内容テーブルを参照する。図７に示すように、調光制御内容テーブルは、設備状態毎の調光制御内容を含む。図７の例に基づくと、取得された設備状態が「電力抑制制御中」であった場合、照明器具４０に対する調光制御内容は「調光レベル低」である。なお、調光制御内容テーブルは、制御装置１０が備えるメモリ設備、ハードディスク、ネットワークを介して接続可能なクラウドサーバ又は外部記録媒体に記憶される。
【００７０】
管理部１０３は、特定された照明器具４０及び調光制御内容を、制御部１０２に通知する。
【００７１】
ステップＳ２０５において、制御部１０２は、特定された照明器具４０に対して、決定された調光制御内容に基づく調光制御を実行する。
【００７２】
上記手順により、変形における制御システム１によれば、設備状態に基づき調光制御内容を決定できる。
【００７３】
これにより、例えば設備が電力抑制制御中の場合、照明を薄暗くし、設備が故障している場合、照明が点滅するように制御できる。このように、例えば店舗の従業員は、調光制御内容に応じて、設備の設備状態を容易に把握できる。
【００７４】
［その他の実施形態］
本実施形態では、店舗に設けられる設備として、空調設備２０及び冷却設備３０を例示したが、設備は所定空間に設けられる設備であれば、これに限らない。例えば、加熱設備（フライヤー、蒸し器、保温器等）、であってもよい。
【００７５】
本実施形態における制御装置１０は、1台のハードウェアに限らず、複数のハードウェアに制御装置１０が有する機能が分散される構成であってもよい。
【００７６】
本実施形態における制御システム１は、店舗に限らず、照明器具４０及び設備状態を取得する対象の設備が設けられている建物、例えば工場又はオフィスビル等にも適用可能である。
【符号の説明】
【００７７】
１        制御システム
１０      制御装置
１０１    設備状態取得部
１０２    制御部
１０３    管理部
１０４    位置情報記憶部
２０      空調設備
３０      冷却設備
４０      照明器具
５０      ネットワーク
【図１】
0006326307.tif 000002
【図２】
0006326307.tif 000003
【図３】
0006326307.tif 000004
【図４】
0006326307.tif 000005
【図５】
0006326307.tif 000006
【図６】
0006326307.tif 000007
【図７】
0006326307.tif 000008